(57)【要約】【課題】追記型光ディスクにおいて論理的に上書きできる上書きの管理方法及び管理情報の記録方法を提供することによりディスクの効率よい使用を可能にする。【解決手段】本発明は、追記型光ディスクにおいて上書きを管理する方法であって、ディスク内の記録済みの特定領域への上書きを要請されたデータを、ディスク内の物理的に区分された他のデータ領域に代替記録すると共に、前記物理的に代替記録されたデータを再生するための管理情報を生成し記録することを特徴とする。【選択図】  図１
2010055747.tif 000002
【特許請求の範囲】
【請求項１】
データ領域と少なくとも１つの管理領域を有する記録媒体にデータを記録する装置であって、
前記記録媒体にデータを記録するように構成されたピックアップ部と、
前記ピックアップ部から／に、信号を読み取る／記録する処理するように構成されたデータプロセッサと、
前記記録媒体に／から、前記信号を記録する／読み取るための前記ピックアップ部を制御するように構成されたサーボ部と、
前記ピックアップ部と、前記データプロセッサと、前記サーボ部を制御するように構成されたマイクロコンピュータと、
を備え、
特定の領域が記録済みのデータまたは欠陥を有する場合、前記マイクロコンピュータは前記データプロセッサと前記サーボ部をさらに制御して、前記特定の領域内の代替領域の位置情報および要求されたデータを送信し、前記特定の領域のサイズが複数の連続の記録単位である場合、前記ピックアップ部は前記特定の領域を管理するための１組のエントリを前記管理領域に記録するように構成され、前記１組のエントリのうちの１つである第１エントリは前記特定の領域の先頭アドレス情報および前記代替領域の先頭アドレス情報を含み、或いは、前記特定の領域のサイズが一記録単位分である場合、前記特定の領域を管理するための１つのエントリを前記管理領域に記録し、前記１つのエントリは前記特定の先頭アドレス情報および前記代替領域の先頭アドレス情報を含み、
前記１組の連続するエントリのそれぞれ、および前記１つのエントリは、
前記特定の領域が代替されたか否かを判別する第１ステータス情報と、
前記１組のエントリか前記１つのエントリかを区別する第２ステータス情報と、
を含み、前記１組のエントリのそれぞれに含まれる前記第２のステータス情報は、対応するエントリが前記第１エントリであるか、前記第１エントリに続く第２エントリかをさらに区別することを特徴とする装置。
【請求項２】
一記録単位サイズの前記特定の領域が代替された場合、前記１組のエントリのそれぞれ含まれる前記第１ステータス情報は、前記１つのエントリの前記第１ステータス情報と同一であるように設定されることを特徴とする請求項１記載の装置。
【請求項３】
前記記録媒体の各記録単位は１つのクラスタのサイズであることを特徴とする請求項１または２記載の装置。
【請求項４】
前記マイクロコンピュータは前記ピックアップ部を制御して、前記１組のエントリと前記１つのエントリを前記記録媒体の一時的欠陥管理領域に記録することを特徴とする請求項３記載の装置。
【請求項５】
前記特定の領域にデータを記録するように要求する記録指令を、前記マイクロコンピュータに送信するように構成された制御部を備え、前記マイクロコンピュータは前記制御部からの記録指令に応答して前記サーボと前記プロセッサを制御することを特徴とする請求項４記載の装置。
【請求項６】
データ領域と少なくとも１つの管理領域を有する記録媒体でデータを再生する装置であって、
前記記録媒体からデータを再生するように構成されたピックアップ部と、
前記ピックアップ部から読み取られた前記信号を処理するように構成されたデータプロセッサと、
前記記録媒体から読み取られた前記信号を読み出すために前記ピックアップ部を制御するように構成されたサーボ部と、
前記ピックアップ部と、前記データプロセッサと前記サーボ部を制御するように構成されたマイクロコンピュータと、
を備え、
前記マイクロプロセッサは、前記特定領域のサイズが複数の連続する記録単位である場合、前記特定の領域を管理するための１組の連続するエントリを参照し、前記代替領域の位置情報を前記プロセッサと前記サーボ部に送信し、前記ピックアップ部が前記代替領域からデータを再生するように構成され、前記１組のエントリのうちの１つである第１エントリは前記特定の領域の先頭アドレス情報および前記代替領域の先頭アドレス情報を含み、もう一方の第２のエントリは前記特定領域の終了アドレス情報と前記代替領域の終了アドレス情報を含み、
前記マイクロプロセッサは、前記特定領域のサイズが一記録単位である場合、前記特定の領域を管理するための１つのエントリを参照し、前記代替領域の位置情報を前記プロセッサと前記サーボ部に送信し、前記ピックアップ部が前記代替領域からデータを再生するように構成され、前記１つのエントリは前記特定領域の先頭アドレス情報と前記代替領域の先頭アドレス情報を含み、
前記１組のエントリのそれぞれ、および前記１つのエントリは前記特定領域が代替されたか否かを判別する第１ステータス情報と、
前記１組のエントリと前記１つのエントリかを区別する前記第２のステータス情報と、
を含み、前記１組のエントリのそれぞれに含まれる前記第２のステータス情報は、対応するエントリが前記第１エントリであるか、前記第１エントリに続く第２エントリかをさらに区別することを特徴とする装置。
【請求項７】
前記記録媒体の各記録単位は１つのクラスタのサイズであることを特徴とする請求項６記載の装置。
【請求項８】
前記マイクロコンピュータは前記ピックアップ部を制御して、前記１組のエントリと前記１つのエントリを前記記録媒体の一時的欠陥管理領域から再生することを特徴とする請求項６または７記載の装置。
【請求項９】
前記特定の領域からデータを再生するように要求する再生指令を、前記マイクロコンピュータに送信するように構成された制御部を備え、前記マイクロコンピュータは前記制御部からの記録指令に応答して前記サーボと前記プロセッサを制御することを特徴とする請求項８記載の装置。
【請求項１０】
特定の領域が欠陥或いは記録済みのデータを有する場合、前記特定の領域に記録されるように要求されたデータを記録する代替領域として使用可能な領域を含むデータ領域と、
前記特定の領域を管理するための管理情報を格納するための少なくとも１つの管理領域と、
を具備し、
前記管理領域は、前記特定の領域のサイズが複数の記録単位である場合、前記特定の領域を管理するための１組のエントリを格納するように構成され、前記１組のエントリのうちの１つである第１エントリは、前記特定の領域の先頭アドレス情報および前記代替領域の先頭アドレス情報を含み、もう一方の第２のエントリは前記特定領域の終了アドレス情報と前記代替領域の終了アドレス情報を含み、
前記管理情報は、前記特定の領域のサイズが一記録単位である場合、前記特定の領域を管理するための１つのエントリを格納するように構成され、前記１つのエントリは前記特定の領域の先頭アドレス情報と前記代替領域の先頭アドレス情報を含み、
前記１組のエントリのそれぞれ、および前記１つのエントリは、前記特定領域が代替されたか否かを判別する第１ステータス情報と、
前記１組のエントリと前記１つのエントリかを区別する前記第２のステータス情報を含み、
前記１組のエントリのそれぞれに含まれる前記第２のステータス情報は、対応するエントリが前記第１エントリであるか、前記第１エントリに続く第２エントリかをさらに区別することを特徴とする記録媒体。
【請求項１１】
前記１組のエントリのそれぞれに含まれる第１ステータス情報は、前記一記録単位の前記特定の領域が代替された場合、記録されている前記１つのエントリの前記第１ステータス情報と同一の値であることを特徴とする請求項１０記載の記録媒体。
【請求項１２】
前記記録媒体の各記録単位は１つのクラスタのサイズであることを特徴とする請求項１０または１１記載の装置。
【請求項１３】
前記１組のエントリと前記１つのエントリは前記記録媒体の一時的欠陥管理領域に記録されることを特徴とする請求項１２記載の装置。
【請求項１４】
データ領域と少なくとも１つの管理領域を有する記録媒体にデータを記録する方法であって、前記方法は、
（ａ）特定の領域が欠陥或いは記録済みのデータを有する場合、前記データ領域内の代替領域に、前記特定の領域に記録されるように要求されたデータを記録するステップと、
（ｂ−１）前記特定の領域領域のサイズが複数の連続する記録単位である場合、前記特定の領域を管理するための１組のエントリを前記管理領域に記録するステップであって、前記１組のエントリのうちの１つである第１エントリは前記特定の領域の先頭アドレス情報および前記代替領域の先頭アドレス情報を含み、もう一方の第２のエントリは前記特定領域の終了アドレス情報と前記代替領域の終了アドレス情報を含む、ステップと、
（ｂ−２）前記特定の領域領域のサイズが一記録単位である場合、前記特定の領域を管理するための１つのエントリを前記管理領域に記録するステップであって、前記１つのエントリは前記特定領域の先頭アドレス情報と前記代替領域の先頭アドレス情報を含む、ステップと、
から成り、
前記１組のエントリのそれぞれ、および前記１つのエントリは、前記特定領域が代替されたか否かを判別する第１ステータス情報と、
前記１組のエントリと前記１つのエントリかを区別する前記第２のステータス情報を含み、
前記１組のエントリのそれぞれに含まれる前記第２のステータス情報は、対応するエントリが前記第１エントリであるか、前記第１エントリに続く第２エントリかをさらに区別することを特徴とする方法。
【請求項１５】
データ領域と少なくとも１つの管理領域を有する記録媒体からデータを再生する方法であって、前記方法は、
（ａ）代替領域によって代替された特定の領域からデータを再生するように要求する指令を受信するステップと、
（ｂ）前記特定の領域領域のサイズが複数の連続する記録単位である場合、前記特定の領域を管理するための１組のエントリを参照して前記代替領域からデータを再生するステップであって、前記１組のエントリのうちの１つである第１エントリは、前記特定の領域の先頭アドレス情報および前記代替領域の先頭アドレス情報を含み、もう一方の第２のエントリは前記特定領域の終了アドレス情報と前記代替領域の終了アドレス情報を含む、ステップと、
（ｃ）前記特定の領域領域のサイズが一記録単位である場合、前記特定の領域を管理するための１つのエントリを参照して前記代替領域からデータを再生するステップであって、前記１つのエントリは前記特定領域の先頭アドレス情報と前記代替領域の先頭アドレス情報を含む、ステップと、
から成り、
前記１組のエントリのそれぞれ、および前記１つのエントリは、前記特定領域が代替されたか否かを判別する第１ステータス情報と、
前記１組のエントリと前記１つのエントリかを区別する前記第２のステータス情報を含み、
前記１組のエントリのそれぞれに含まれる前記第２のステータス情報は、対応するエントリが前記第１エントリであるか、前記第１エントリに続く第２エントリかをさらに区別することを特徴とする方法。
【請求項１６】
前記１組のエントリと前記１つのエントリは前記記録媒体の一時的欠陥管理領域に記録されることを特徴とする請求項１２記載の装置。
【請求項１７】
データ領域と少なくとも１つの管理領域を有する記録媒体にデータを記録する動作を実行するプログラムを格納するコンピュータ可読記録媒体であって、前記プログラムが実施されると、
（ａ）特定の領域が欠陥或いは記録済みのデータを有する場合、前記データ領域内の代替領域に、前記特定の領域に記録されるように要求されたデータを記録するステップと、
（ｂ）前記特定の領域領域のサイズが複数の連続する記録単位である場合、前記特定の領域を管理するための１組のエントリを前記管理領域に記録するステップであって、前記１組のエントリのうちの１つである第１エントリは、前記特定の領域の先頭アドレス情報および前記代替領域の先頭アドレス情報を含み、もう一方の第２のエントリは前記特定領域の終了アドレス情報と前記代替領域の終了アドレス情報を含む、ステップと、
（ｃ）前記特定の領域領域のサイズが一記録単位である場合、前記特定の領域を管理するための１つのエントリを前記管理領域に記録するステップであって、前記１つのエントリは前記特定領域の先頭アドレス情報と前記代替領域の先頭アドレス情報を含む、ステップと、
を実行し、
前記１組のエントリのそれぞれ、および前記１つのエントリは、前記特定領域が代替されたか否かを判別する第１ステータス情報と、
前記１組のエントリと前記１つのエントリかを区別する前記第２のステータス情報と、
を含み、  前記１組のエントリのそれぞれに含まれる前記第２のステータス情報は、対応するエントリが前記第１エントリであるか、前記第１エントリに続く第２エントリかをさらに区別することを特徴とするコンピュータ可読記録媒体。
【請求項１８】
データ領域と少なくとも１つの管理領域を有する記録媒体からデータを再生する動作を実行するプログラムであって、前記プログラムが実行されると、
（ａ）代替領域によって代替された特定の領域からデータを再生するように要求する指令を受信するステップと、
（ｂ）前記特定の領域領域のサイズが複数の連続する記録単位である場合、前記特定の領域を管理するための１組のエントリを参照して前記代替領域からデータを再生するステップであって、前記１組のエントリのうちの１つである第１エントリは、前記特定の領域の先頭アドレス情報および前記代替領域の先頭アドレス情報を含み、もう一方の第２のエントリは前記特定領域の終了アドレス情報と前記代替領域の終了アドレス情報を含む、ステップと、
（ｃ）前記特定の領域領域のサイズが一記録単位である場合、前記特定の領域を管理するための１つのエントリを参照して前記代替領域からデータを再生するステップであって、前記１つのエントリは前記特定領域の先頭アドレス情報と前記代替領域の先頭アドレス情報を含む、ステップと、
を実行し、
前記１組のエントリのそれぞれ、および前記１つのエントリは、前記特定領域が代替されたか否かを判別する第１ステータス情報と、
前記１組のエントリと前記１つのエントリかを区別する前記第２のステータス情報を含み、
前記１組のエントリのそれぞれに含まれる前記第２のステータス情報は、対応するエントリが前記第１エントリであるか、前記第１エントリに続く第２エントリかをさらに区別することを特徴とする方法。
【発明の詳細な説明】
【技術分野】
【０００１】
本発明は追記型光ディスクへの上書き管理方法及び追記型光ディスクに管理情報を記録する方法に関する。
【背景技術】
【０００２】
近年、高画質のビデオデータと高音質のオーディオデータを長時間記録し保存できる新規な高密度光記録媒体、例えば、書き換え可能型ブルーレイ・ディスク（ＢＤ−ＲＥ：Blu-ray rewritable disc）が開発され市販されるものと期待されている。
【０００３】
ＢＤ−ＲＥには、図１に示すように、リードイン領域、データ領域、リードアウト領域がそれぞれ割り当てられると共に、データ領域の先頭と末尾には、インナースペア領域（ＩＳＡ：Inner Spare Area）とアウタースペア領域（ＯＳＡ：Outer Spare Area）がそれぞれ割り当てられる。
【０００４】
ＢＤ−ＲＥ上には、所定の記録単位に対応するクラスタ単位で記録され、図１に示すように、データを記録中にデータ領域に欠陥領域が存在するか否かを検出する。そして、欠陥領域が検出されると、その欠陥領域に記録すべきデータをスペア領域、例えば、インナースペア領域（ＩＳＡ）に代替記録する一連の代替記録動作を行うと共に、欠陥領域に関する位置情報と、スペア領域における代替記録された領域の位置情報を管理情報としてリードイン領域に欠陥リストとして記録し保存する。
【０００５】
従って、ＢＤ−ＲＥのデータ領域に欠陥領域が存在する場合には、その欠陥領域に記録されたデータをスペア領域に代替記録し、再生動作を行う際、管理情報を参照して、欠陥領域のデータの代わりにスペア領域に代替記録されたデータを読み込んで再生することにより、データの記録／再生誤りを事前に防止することができる。
【０００６】
一方、近年では、追記型ブルーレイ・ディスク（ＢＤ−ＷＯ：Blu-ray Disc write once）に対する規格化作業が関連業者の間で論議されている。追記型光ディスクは、ディスクの全領域にわたって１回だけ記録可能であるので、書き換え可能型光ディスクとは異なって物理的に上書きすることが不可能である。
【０００７】
しかし、追記型光ディスクにおいても記録済みのデータを編集するか、該当部分だけの修正を必要とするか、またはユーザーやホスト等の便宜のために上書きを必要としたりする場合が生じることがあり、これを可能とする効率的な方案の確立が急がれているのが実情である。
【発明の概要】
【発明が解決しようとする課題】
【０００８】
従って、本発明は、従来技術の制限と不都合によるいくつかの問題を解決する、追記型光ディスクへ上書きするその管理方法及び管理情報の記録方法を提供することを目的とする。
【０００９】
また、本発明は、追記型光ディスクへの上書き管理方法、追記型光ディスクの管理情報の記録方法、追記型光ディスクへ論理的に上書きすることができる記録再生装置を提供することを目的とする。
【００１０】
本発明のさらなる利点、目的および特徴は、この技術分野における当業者にとっては、後述する説明における本発明の教示から理解できるであろう。本発明の目的や他の利点は、添付された図面と特許請求の範囲と詳細な説明に特に指摘されている構造により実現され、かつ獲得できる。
【課題を解決するための手段】
【００１１】
本発明による追記型光ディスクの上書き方法は、ディスク内の記録済み特定領域へ上書きを要請されたデータを、ディスク内の物理的に区分された他のデータ領域に代替記録すると共に、その物理的に代替記録されたデータを再生するための管理情報を生成し記録することを特徴とする。
【００１２】
本発明による追記型光ディスクの管理情報の記録方法は、上書きを要請された領域及び／または欠陥が発生した領域に記録すべきデータをディスク内の特定領域に代替記録し、その代替記録に関する管理情報を記録するに際し、一つの記録単位を代替記録した場合の管理情報と、複数の記録単位を代替記録した場合の管理情報とを互いに区分して記録することを特徴とする。
【００１３】
本発明による追記型光ディスクのまた他の管理情報の記録方法は、上書きを要請された領域及び／または欠陥が発生した領域に記録すべきデータをディスク内の特定領域に代替記録し、その代替記録に関する管理情報を記録するに際し、上書き要請により代替記録された場合の管理情報と、欠陥領域により代替記録した場合の管理情報とを互いに区分して記録することを特徴とする。
【００１４】
本発明による追記型光ディスクの記録再生装置は、特定領域に記録を行うように要求する記録指令を伝える制御部と、特定領域が記録済みの領域であるか否かを判断し、記録済みの領域であればデータ領域内の他の領域に代替記録し、代替記録された事実を管理情報としてディスク内に記録する記録再生部とを備えることを特徴とする。
【００１５】
本発明に関する一般的な説明及び後述する詳細な説明は、請求された本発明をさらに明確にするために例示されたものとして理解すべきである。
【図面の簡単な説明】
【００１６】
【図１】本発明に係る書き換え型光ディスクの構造及び欠陥管理方法を概略的に示す図である。
【図２】本発明の追記型光ディスクにおける上書き方法に関する一実施形態を示す図である。
【図３】本発明の追記型光ディスクにおける上書き方法に関する他の実施形態を示す図である。
【図４】本発明の追記型光ディスクにおける上書き方法に関するまた他の実施形態を示す図である。
【図５】本発明の追記型光ディスクにおける上書き方法に関するまた他の実施形態を示す図である。
【図６】本発明に係る書き換え型光ディスクにおける管理情報の記録方法を概略的に示す図である。
【図７】本発明の追記型光ディスクにおける管理情報の記録方法に関する一実施形態を示す図である。
【図８】図７による本発明の追記型光ディスクにおける管理情報の内容をテーブルの形態で示す図である。
【図９】本発明の追記型光ディスクにおける管理情報の記録方法に関する他の実施形態を示す図である。
【図１０】本発明の追記型光ディスクにおける管理情報の記録方法に関するまた他の実施形態を示す図である。
【図１１】図９及び図１０による本発明の追記型光ディスクにおける管理情報の内容をテーブルの形態で示す図である。
【図１２】図９及び図１０による本発明の追記型光ディスクにおける管理情報のアップデート方法を示す図である。
【図１３】本発明の追記型光ディスクにおける記録再生装置を示す図である。
【発明を実施するための形態】
【００１７】
本発明のさらなる目的及び長所は、後述する本発明の好適な実施の形態に関連する添付図面により一層明らかになる。
【００１８】
以下、添付した図面に基づき、本発明による追記型光ディスクの上書き方法に関する好適な実施の形態について詳細に説明する。なお、図面中において同一の機能を行う部分については、 同一の参照番号を付している。
【００１９】
本発明は、追記型光ディスクにおいても上書きできるようにすることを特徴とする。一般に、“上書き”とは、書き換え可能型光ディスクにおけるある領域へ複数回繰り返し記録することを意味する。即ち、一般に、上書きとは、書き換え可能型光ディスクにおける固有の特徴を意味し、追記型光ディスクではその適用が不可能であるとされている。
【００２０】
しかし、本発明は、追記型光ディスクの物理的特性である‘１回記録性’を維持しながら、論理的に上書きできるようにした。
【００２１】
図２は、本発明実施形態による追記型光ディスクへの上書きを管理する方法を図式化したものであって、例えば、追記型ブルーレイ・ディスク（ＢＤ−ＷＯ）に、リードイン領域（ＬＩＡ）、データ領域、リードアウト領域（ＬＯＡ）をそれぞれ割り当て、データ領域の先頭及び末尾に、インナースペア領域（ＩＳＡ）とアウタースペア領域（ＯＳＡ）をそれぞれ割り当てる。
【００２２】
また、ディスク内には、ディスクの管理情報を記録する一時的欠陥管理領域（ＴＤＭＡ：Temporary Defect Management Area）を設け、ＴＤＭＡ内に一時的欠陥リスト（ＴＤＦＬ：Temporary Defect List）を記録する。ＴＤＦＬ内に管理情報としての欠陥エントリまたは上書きエントリを記録する。従って、欠陥領域や上書きを要請され当該領域に記録すべきデータを、データ領域内の他の領域に代替記録する時に、管理情報をＴＤＭＡ内のＴＤＦＬとして記録することができる。
【００２３】
図２においてデータ領域内に記録済みの領域が存在する場合、当該領域は、追記型光ディスクの特性上、物理的には‘上書き’が許容されないといえる。しかし、ユーザーやホスト等からの記録指令が図２に示すようなＡ−Ｂ領域（記録済み領域）への記録を行うよう要請すると、本発明では、ドライバが自動的にそこに記録すべきデータをデータ領域内の他の領域に代替記録する。従って、ユーザーやホスト等は、ディスク内の特定領域が記録済みか否かに関係なく記録指令を出すことができる。これは、追記型光ディスクであるにもかかわらず、ユーザー等が書き換え型光ディスクのように使用することができることを意味する。これを、物理的な上書きと区分して論理的上書き（Logical OverWrite：ＬＯＷ）と称する。
【００２４】
即ち、図２に示すようにＡ−Ｂ領域への記録指令を実行するに際し、物理的に記録済みの部分であるのでその領域への上書きはできないが、そこに記録すべきデータをデータ領域内、特に、アウタースペア領域の前のＣ−Ｄ領域に代替記録し、それに関する管理情報をディスク内のＴＤＭＡにＴＤＦＬ情報として記録しておくことで記録指令を完遂できる。従って、記録済みのディスクに対し、ユーザーやホスト等がＡ−Ｂ領域の再生を所望する場合、ドライバは、記録してある管理情報を参照して、Ａ−Ｂ領域に代わってＣ−Ｄ領域を再生することで再生指令を実行することができる。
【００２５】
以下、図３、図４Ａ、図４Ｂ、図５を参照して、上書きの要請に対し代替記録が行われる位置に関する他の実施形態を説明し、図６〜図１２を参照して、かかる上書きまたは連続する欠陥領域に関する管理情報を記録する方法に関する各種の実施形態を説明する。
【００２６】
図３は、本発明による追記型光ディスクの上書き方法に関する他の実施形態を示す図であって、本実施形態は、上書きを要請された領域に記録すべきデータをデータの記録済み領域に続く領域に連続して代替記録することを特徴とする。これは、代替記録される領域の位置を除いては、図２を参照して説明する内容と同じである。
【００２７】
図４Ａは、本発明による追記型光ディスクの上書き方法に関するさらに他の実施形態を示す図であって、上書きを要請された領域（Ａ−Ｂ領域）に記録すべきデータをスペア領域内に代替記録（Ｃ−Ｄ領域）することを特徴とする。従って、スペア領域内には、欠陥領域の発生により代替されたクラスタと上書きの要請により代替記録されたクラスタとが共に記録される。これは、後述するが、上書きの要請による代替記録が欠陥領域による代替記録と同一に取り扱われることを示す。また、図４Ｂでは、ＯＳＡ領域を欠陥領域の代替のための領域と上書きのための領域とに区分して使用しても良いことを示す。
【００２８】
図５は、本発明による追記型光ディスクの上書き方法に関するさらに他の実施形態を示す図であって、上書きを要請された領域（Ａ−Ｂ領域）に記録すべきデータを別の上書き領域（ＯＷＡ）内に代替記録（Ｃ−Ｄ領域）することを示す。即ち、スペア領域（ＩＳＡ、ＯＳＡ）は、欠陥領域が発生した場合に代替記録される領域であり、ＯＷＡは、上書きの要請により代替記録される領域であって、互いに区分して代替記録を行う。従って、欠陥領域の発生による代替記録と上書きの要請による代替記録が明確に区分されるといった付加的な効果を奏する。
【００２９】
図６〜図１２は、本発明において適用される上書きによる管理情報を記録する方法を説明するための図である。まず、図６は、本発明との対比説明のためにＢＤ−ＲＥにおける欠陥領域のための管理情報として欠陥リストを記録する方法に関する図である。本発明のＢＤ−ＷＯにおける管理情報の記録方法では、同種のディスクであるＢＤ−ＲＥと最大限に互換性を保ちつつも本発明の目的の達成に適合した方式で管理情報を記録する。
【００３０】
欠陥情報は、ディスク上のリードイン領域内に記録され、欠陥情報ヘッダ部（ｄｅｆｅｃｔ  ｌｉｓｔ  Ｈｅａｄｅｒ）と欠陥エントリ（ｄｅｆｅｃｔ  ｅｎｔｒｙ）とから構成される。欠陥情報ヘッダ部（ｄｅｆｅｃｔ  ｌｉｓｔ  Ｈｅａｄｅｒ）には、欠陥リストであることを知らせるＩＤ情報（ｉｄｅｎｔｉｆｉｅｒ）と欠陥エントリ（ｄｅｆｅｃｔ  ｅｎｔｒｙ）の個数を表す情報が含まれている。一つの欠陥エントリは８バイトから構成され、これは、次の４フィールドから構成されている。これらは、それぞれ‘ｓｔａｔｕｓ１’、‘Ｄｅｆｅｃｔｉｖｅ  ｃｌｕｓｔｅｒ  ｆｉｒｓｔ  ＰＳＮ’、‘ｓｔａｔｕｓ２’、‘Ｒｅｐｌａｃｅｍｅｎｔ  ｃｌｕｓｔｅｒ  ｆｉｒｓｔ  ＰＳＮ’である。ＢＤ−ＲＥにおける‘ｓｔａｔｕｓ１’情報は、それぞれの欠陥エントリの種類に関する情報を表し、例えば、‘００００ｂ’であれば、欠陥領域に記録すべきデータが正常に代替記録完了したＲＡＤ（Ｒｅ−Ａｌｌｏｃａｔｉｏｎ  Ｄｅｆｅｃｔｉｖｅ）タイプの欠陥エントリを意味し、‘０００１ｂ’であれば、欠陥領域ではあるが、代替記録のための代替領域が指定されていないＮＲＤ（Ｎｏｎ−Ｒｅａｌｌｏｃａｔｉｏｎ  Ｄｅｆｅｃｔｉｖｅ）タイプの欠陥エントリを意味する。また、‘Ｄｅｆｅｃｔｉｖｅ  ｃｌｕｓｔｅｒ  ｆｉｒｓｔ  ＰＳＮ’フィールドは、欠陥が発生したクラスタの位置情報を記録するフィールドであり、これを当該クラスタの先頭ＰＳＮ（ｐｈｙｓｉｃａｌ  ｓｅｃｔｏｒ  ｎｕｍｂｅｒ）で表すことが一般的である。また、‘ｓｔａｔｕｓ２’フィールドは、現在のＢＤ−ＲＥでは使用していないフィールドである。後述するが、本発明では、この‘ｓｔａｔｕｓ２’フィールドを積極的に活用して管理情報を記録しようとしている。最後に、‘Ｒｅｐｌａｃｅｍｅｎｔ  ｃｌｕｓｔｅｒ  ｆｉｒｓｔ  ＰＳＮ’フィールドは、欠陥領域に記録すべきデータのスペア領域内における代替記録された領域の位置情報を記録するフィールドであり、仮にＲＡＤタイプである場合は、当該代替記録された領域の位置情報を正常に記録するが、ＮＲＤタイプである場合は、代替領域への代替を行わないため、本フィールドは‘ゼロ’値でセットされる。
【００３１】
図７〜図１２は、本発明の追記型光ディスクに適用される上書きによる管理情報を記録する方法に関する図であって、本発明では、大別して二つの管理情報を記録する方式を提示する。その第一は、図８及び図９に示すように欠陥エントリとは別の上書きエントリ（ｏｖｅｒｗｒｉｔｅ  ｅｎｔｒｙ）として記録する方式であり、その第二は、図１０〜図１４に示すように欠陥エントリと同一のタイプとして記録する方式である。前者では、並べ替え（sorting）によっても二種類のエントリが混ざり合わずに互いに区分されるが、後者の場合では、並べ替えにより二種類のエントリが互いに混ざり合うようになるという点で両者は相違している。
【００３２】
以下、本発明の管理情報の記録方法について詳細に説明する。
図７は、本発明の追記型光ディスクにおいて上書きの要請による代替記録時の管理情報を記録する一つの実施形態を示す。また、図８Ａ及び図８Ｂは、上書きを要請された領域の位置情報と代替記録された領域の位置情報及び上書きされた情報としての管理情報を記録する例を示す。
【００３３】
本発明は、例えば、ＢＤ−ＲＥとの互換性のために、管理情報は欠陥エントリが記録される領域に８バイトのサイズのエントリとして記録される。従って、欠陥エントリと同一の４フィールドを適用して管理情報を記録する方式である。しかし、上書きによる管理情報は、欠陥エントリと区別して上書きエントリと称し、これが区分できるようにエントリ内に識別情報を使用した。
【００３４】
図７に示す上書きエントリについて詳細に説明すれば、次の通りである。まず、‘ｓｔａｔｕｓ１’フィールドには、既存のＢＤ−ＲＥでは使用しなかったタイプ情報を用いる。例えば、‘１１００ｂ’を使用し、エントリに‘１１００ｂ’が使用されたことが確認されれば、システムではこれを上書きエントリとして認識する。従って、ＢＤ−ＲＥでは使用しなかった‘ｓｔａｔｕｓ１’フィールド値を使用することにより、既存の欠陥エントリとの区分が可能になる。次いで、‘Ｄｅｆｅｃｔｉｖｅ  ｃｌｕｓｔｅｒ  ｆｉｒｓｔ  ＰＳＮ’フィールドには、上書きを要請された領域の先頭アドレス情報（Ａ  ａｄｄｒｅｓｓ）を記録する。‘Ｒｅｐｌａｃｅｍｅｎｔ  ｃｌｕｓｔｅｒ  ｆｉｒｓｔ  ＰＳＮ’フィールドは、データ領域内における代替記録された領域の先頭アドレス情報（Ｃ  ａｄｄｒｅｓｓ）を記録する。これらのアドレス情報は、当該領域の先頭クラスタの‘ｆｉｒｓｔ  ＰＳＮ’で表すことが可能である。‘ｓｔａｔｕｓ２’フィールドには、上書きを要請されたサイズ情報を記録する。なお、‘ｓｔａｔｕｓ２’フィールドは、４ビットで構成されるため、上書きを要請された領域のサイズが１６クラスタ以上であれば、これを充分に表すことができなくなる。従って、１６クラスタより小さいクラスタを上書きする場合には、‘ｓｔａｔｕｓ２’フィールドにサイズ情報（ｓｉｚｅ＿１）を記録し（ｃａｓｅ  １）、１６クラスタ以上のサイズを上書きしようとすれば、さらに他のエントリを用いてサイズ情報（ｓｉｚｅ＿１）を‘Ｄｅｆｅｃｔｉｖｅ  ｃｌｕｓｔｅｒ  ｆｉｒｓｔ  ＰＳＮ’フィールドと‘Ｒｅｐｌａｃｅｍｅｎｔ  ｃｌｕｓｔｅｒ  ｆｉｒｓｔ  ＰＳＮ’フィールドにそれぞれ記録するか、またはいずれか一つのフィールドだけに記録し、‘ｓｔａｔｕｓ２’フィールドには‘００００ｂ’を記録する（ｃａｓｅ  ２）。
【００３５】
従って、システムがエントリ情報を確認するとき、‘ｓｔａｔｕｓ１’フィールドが‘１１００ｂ’であれば上書きエントリであると認識し、‘ｓｔａｔｕｓ２’フィールドが‘００００ｂ’であれば、そのサイズが１６クラスタ以上であるので、続くエントリがサイズ情報を表すことを認識する。‘ｓｔａｔｕｓ２’フィールドが‘００００ｂ’ではない他の値を有すれば、当該デジタル値を十進数に変換した値分のクラスタが上書きを要請されたサイズ情報であることを認識することができる。先頭アドレスとサイズ情報を認識することにより当該領域の終了アドレスは自然として確認可能である。
【００３６】
図７では、上書きを要請された領域を代替記録する領域としてＯＳＡ領域の前の領域を用いる場合だけを示したが、図３〜図５から分かるように、代替記録される領域は、記録領域に続いて記録される（図３）、スペア領域内に記録される（図４Ａ）、別のＯＷＡ内に記録される（図５）等のいずれもが可能であることは言うまでもない。
【００３７】
図８Ａは、図７に示すような管理情報を記録する方式における、ＴＤＦＬ内の構造を示す図であって、ＴＤＦＬ内に記録されるエントリは、欠陥エントリと上書きエントリとに区分されて記録されている。これは、相違するエントリタイプ（ｅｎｔｒｙ  ｔｙｐｅ、ｓｔａｔｕｓ１情報）を用いることにより、‘ｓｔａｔｕｓ１’情報を基準に並べ替えした結果である。また、ＴＤＦＬ内のヘッダ部（ＴＤＬＦ  Ｈｅａｄｅｒ）内には、これらの欠陥エントリと上書きエントリの個数に関する情報を有するため、当該ＴＤＦＬ内に記録されているエントリの情報が取得可能になる。
【００３８】
図８Ｂは、図７で論じられたエントリタイプをテーブルとしてまとめたテーブル図である。テーブルで確認できるように、欠陥エントリの場合と上書きエントリの場合は、‘ｓｔａｔｕｓ１’フィールドによって互いに区分されることが分かるであろう。また、上書きエントリの場合は、‘ｓｔａｔｕｓ２’フィールド値によって一つのエントリを有する場合と二つのエントリを有する場合とに区分される。‘ｓｔａｔｕｓ２＝００００ｂ’であれば、二つのエントリで構成された場合であって、続くエントリによってサイズ情報を獲得する。‘ｓｔａｔｕｓ２＝００００ｂ’でなければ、その値自体がサイズ情報を直接意味する。
【００３９】
図９及び図１０は、本発明の管理情報を記録するさらに他の実施形態を示す図である。図９と図１０は、上書きを要請された場合におけるその代替記録に関する管理情報を既存の欠陥エントリと同一のタイプとして処理する方式を示す図である。即ち、上書き要請による代替記録も、欠陥領域による代替記録と同種の概念であるとして管理情報を記録する。即ち、欠陥領域による代替記録であるか上書きによる代替記録であるかに分けて管理情報を記録するのではなく、代替記録される記録単位（ＢＤ−ＷＯの場合、クラスタ）が一つであるか、若しくは複数個であるかに分けて管理情報を記録する。
【００４０】
即ち、本実施形態によれば、複数のクラスタが原因によって異なる領域に代替記録され、これを管理する管理情報は、一つの記録単位が代替記録された場合の管理情報とは異なるように表す方式である。複数のクラスタが代替記録される原因は、上書きがその原因になることもあるが、連続する記録単位において複数個の欠陥領域が発生した場合もその原因になる。従って、如何なる原因によっても、連続する複数個のクラスタ代替記録することを、本発明では‘Ｂｌｏｃｋ  ｌｉｎｅａｒ  ｒｅｐｌａｃｅｍｅｎｔ’と称し、または略称して‘Ｂｌｏｃｋ  ｒｅｐｌａｃｅｍｅｎｔ’と称す。これに対し、一つの記録単位を代替記録することを‘１  ｃｌｕｓｔｅｒ  ｌｉｎｅａｒ  ｒｅｐｌａｃｅｍｅｎｔ’または略称して‘１  ｃｌｕｓｔｅｒ  ｒｅｐｌａｃｅｍｅｎｔ’と称する。
【００４１】
図９及び図１０は、ユーザー等からディスク内の特定領域（Ａ−Ｂ領域）への上書きを要請されたか、または当該領域の全てにおいて連続して欠陥が発生した場合、当該領域に記録すべきデータをスペア領域内に代替記録（Ｃ−Ｄ領域）し、管理情報を記録する方式を示す図である。なお、図２、３、４Ａ、４Ｂ、５と同様に上書きの場合、スペア領域ではない他のデータ領域内に代替記録されても、本発明の管理情報の記録方法はそのまま適用可能であることは言うまでもない。
【００４２】
図９及び図１０において欠陥エントリは二種類に分けられる。その第一は、一つの記録単位が代替記録された場合のエントリであって、これは、一つのエントリで記録される（１  ｃｌｕｓｔｅｒ  ｒｅｐｌａｃｅｍｅｎｔ）。その第二は、複数個の記録単位が代替記録された場合のエントリであって、これは、連続する二つのエントリで記録される（Ｂｌｏｃｋ  ｒｅｐｌａｃｅｍｅｎｔ）。即ち、図９及び図１０の管理情報の記録方法は、代替記録される記録単位が‘１  ｃｌｕｓｔｅｒ’であるか、連続する複数個のクラスタ、即ち‘Ｂｌｏｃｋ’であるかに分けて管理情報を記録し、代替記録の原因としての上書きの要請と欠陥領域の発生のいずれも‘１  ｃｌｕｓｔｅｒ’単位か、あるいは‘Ｂｌｏｃｋ’単位で発生することを仮定している。
【００４３】
また、図９と図１０は、管理情報としてのサイズ情報を用いるか否かにより区分され、図９は、サイズ情報を用いる場合を示す図であり、図１０は、サイズ情報を用いない場合を例に挙げて示す図である。
【００４４】
まず、図９は、‘１  ｃｌｕｓｔｅｒ  ｒｅｐｌａｃｅｍｅｎｔ’の場合は、図７と同様に管理情報を記録する。‘Ｂｌｏｃｋ  ｒｅｐｌａｃｅｍｅｎｔ’の場合、‘ｓｔａｔｕｓ１’フィールドは、‘１  ｃｌｕｓｔｅｒ  ｒｅｐｌａｃｅｍｅｎｔ’の場合と同様に‘００００ｂ’を有する。これは、欠陥エントリをＴＤＦＬに記録する都度並べ替えが適用される。並べ替えの第一の基準は‘ｓｔａｔｕｓ１’フィールドであり、次は‘Ｄｅｆｅｃｔｉｖｅ  Ｃｌｕｓｔｅｒ  Ｆｉｒｓｔ  ＰＳＮ’フィールドである。従って、正常に代替記録が行われた場合には、‘１  ｃｌｕｓｔｅｒ  ｒｅｐｌａｃｅｍｅｎｔ’であっても‘Ｂｌｏｃｋ  ｒｅｐｌａｃｅｍｅｎｔ’であっても同一の‘ｓｔａｔｕｓ１＝０００ｂ’を有するため、結局として同一の‘ｓｔａｔｕｓ１’内では、並べ替えの適用時、‘Ｄｅｆｅｃｔｉｖｅ  Ｃｌｕｓｔｅｒ  Ｆｉｒｓｔ  ＰＳＮ’フィールドにより並べ替えられるようにしたのである。従って、これは、本発明においてＢｌｏｃｋ  ｒｅｐｌａｃｅｍｅｎｔの場合と‘１  ｃｌｕｓｔｅｒ  ｒｅｐｌａｃｅｍｅｎｔ’の場合に‘ｓｔａｔｕｓ１’フィールドがいずれも‘００００ｂ’を有するようにした理由であり、これについては、図１２を参照して後述する。
【００４５】
従って、‘１  ｃｌｕｓｔｅｒ  ｒｅｐｌａｃｅｍｅｎｔ’の場合と‘Ｂｌｏｃｋ  ｒｅｐｌａｃｅｍｅｎｔ’の場合の区分は、‘ｓｔａｔｕｓ２’フィールドを用いる。即ち、‘１  ｃｌｕｓｔｅｒ  ｒｅｐｌａｃｅｍｅｎｔ’の場合は、‘ｓｔａｔｕｓ２＝００００ｂ’とし、‘Ｂｌｏｃｋ  ｒｅｐｌａｃｅｍｅｎｔ’の場合は、‘ｓｔａｔｕｓ２＝０００１ｂまたは１００１ｂ’とする。関連して、‘Ｂｌｏｃｋ  ｒｅｐｌａｃｅｍｅｎｔ’の場合、二つの連続したエントリを有するので、‘ｓｔａｔｕｓ２＝０００１ｂ’であれば先頭の一番目のエントリになり、‘ｓｔａｔｕｓ２＝１００１ｂ’であれば、次に続く二番目のエントリを意味するとすればよい。即ち、‘ｓｔａｔｕｓ２＝０００１ｂ’の一番目のエントリは、代替される元の領域の先頭アドレス（ｏｒｉｇｉｎａｌ  ｓｔａｒｔ  ａｄｄｒｅｓｓ）と代替記録された領域の先頭アドレス（ｒｅｐｌａｃｅｍｅｎｔ  ｓｔａｒｔ  ａｄｄｒｅｓｓ）をそれぞれ有し、‘ｓｔａｔｕｓ２＝１００１ｂ’の二番目のエントリには、代替される領域のサイズ情報（ｓｉｚｅ＿１）を記録しておく。
【００４６】
図９は、‘Ｂｌｏｃｋ  ｒｅｐｌａｃｅｍｅｎｔ’の場合に‘ｓｔａｔｕｓ２＝０００１ｂまたは１００１ｂ’と記録する一つの実施形態を示す図であって、‘ｓｔａｔｕｓ２＝００００ｂ’ではなく、これとは別のある情報を用いてもよいことは自明である。例えば、‘Ｂｌｏｃｋ  ｒｅｐｌａｃｅｍｅｎｔ’の場合、‘ｓｔａｔｕｓ２＝００１１ｂまたは１０１１ｂ’等と設定しても同一な結果が得られる。
【００４７】
図１０は、図９の二番目のエントリで使用したサイズ情報に代わって、元の領域の終了アドレス（ｏｒｉｇｉｎａｌ  ｅｎｄ  ａｄｄｒｅｓｓ）と代替記録された領域の終了アドレス（ｒｅｐｌａｃｅｍｅｎｔ  ｅｎｄ  ａｄｄｒｅｓｓ）をそれぞれ有する場合を示す図である。他の説明部分は、図９のそれと同一である。
【００４８】
図１１Ａは、図９及び図１０に示すような本発明の追記型光ディスクにおける管理情報を記録する方式において、管理情報としてＴＤＦＬに記録されるエントリを概略的に示す図である。いずれも同一の欠陥エントリとして管理される（実際には、上書きにより記録された代替と欠陥により記録された代替の双方とも同一の‘ｓｔａｔｕｓ１＝００００ｂ’を有するため、これを欠陥エントリと呼んでいる）。ＴＤＦＬヘッダ内には、各欠陥エントリの種類別の個数を表す情報を保存してある。ここで、‘Ｂｌｏｃｋ  ｒｅｐｌａｃｅｍｅｎｔ’の場合のエントリをＢＲＡＤ（Ｂｌｏｃｋ  ＲＡＤ）またはＣＤＡ（Ｃｏｎｓｅｃｕｔｉｖｅ  Ｄｅｆｅｃｔｉｖｅ  Ａｒｅａ）と呼んでいる。これは、Ｂｌｏｃｋ  ＲＡＤが、‘Ｂｌｏｃｋ  ｒｅｐｌａｃｅｍｅｎｔ’の場合においては、正常に代替記録された‘１  ｃｌｕｓｔｅｒ  ｒｅｐｌａｃｅｍｅｎｔ’の場合におけるＲＡＤと同じであるが、代替記録は１クラスタではない複数のクラスタ、即ち‘Ｂｌｏｃｋ’単位で行われたことを表すためである。
【００４９】
図１１Ｂは、図９及び図１０で論じられたエントリタイプをテーブルとしてまとめたテーブル図である。テーブルから確認できる如く、‘１  ｃｌｕｓｔｅｒ  ｒｅｐｌａｃｅｍｅｎｔ’の場合、‘ｓｔａｔｕｓ２＝００００ｂ’を有し、‘Ｂｌｏｃｋ  ｒｅｐｌａｃｅｍｅｎｔ’の場合、‘ｓｔａｔｕｓ２＝０００１ｂまたは１００１ｂ’を有することで互いに区分される。また、正常に代替記録が完了した場合には、‘ｓｔａｔｕｓ１＝００００ｂ’を有し（ＲＡＤまたはＢＲＡＤ）、代替記録される領域を指定していない場合は、‘ｓｔａｔｕｓ１＝０００１ｂ’を有する（ＮＲＤまたはＢＮＲＤ）。このような方式を拡張すれば、如何なるタイプのエントリでも適用可能になるはずである。
【００５０】
図１２は、図９、図１０、図１１Ａ、図１１Ｂに示すような方式の管理情報の記録方法におけるＴＤＦＬがアップデートされる場合の一例を示す図であって、特に、並べ替えが適用された場合の管理情報を記録する方法に関する。
【００５１】
まず、ＴＤＦＬが五つの‘１  ｃｌｕｓｔｅｒ  ｒｅｐｌａｃｅｍｅｎｔ’によりＴＤＦＬ＃Ｋのように記録されていると仮定し、欠陥エントリ３、４、５（ｄｅｆｅｃｔ  ｅｎｔｒｙ  ３、４、５）に該当する欠陥領域を含めて六つの連続するクラスタが‘Ｂｌｏｃｋ  ｒｅｐｌａｃｅｍｅｎｔ’として代替記録が完了した場合である。このとき、アップデートタイミングＴＤＦＬ＃Ｋ＋１では、新規のエントリが記録される。以前のＴＤＦＬ＃Ｋで記録された欠陥エントリ３、４、５は、ＴＤＦＬ＃Ｋ＋１では‘Ｂｌｏｃｋ  ｒｅｐｌａｃｅｍｅｎｔ’領域内に含まれるのでさらなる管理が不要であるため、ＴＤＦＬ＃Ｋ＋１からは消去される。即ち、欠陥エントリ３、４、５を、新規のＢＲＡＤタイプのエントリの一つとして表することができるから、ＴＤＦＬ＃Ｋ＋１では管理情報として記録されないのである。従って、ＴＤＦＬ＃Ｋ＋１の最終のエントリは三つだけになり、この三つのエントリは、並べ替えによりまず、‘ｓｔａｔｕｓ１’情報を基準に並べ替えされ、次は、代替される前の元の領域の位置順に並べ替えされる。これを図１２の場合に適用すれば、ＴＤＦＬ＃Ｋ＋１ではいずれも同じ‘ｓｔａｔｕｓ１＝００００ｂ’を有するエントリタイプ（ＲＤＡまたはＢＲＡＤ）であるため、結局として第二の並べ替え基準である代替された元の領域のＰＳＮ（Ｐｈｙｓｉｃａｌ  ｓｅｃｔｏｒ  ｎｕｍｂｅｒ）の順に並べ替えられる。従って、前記のような方式により‘Ｂｌｏｃｋ  ｒｅｐｌａｃｅｍｅｎｔ’により発生する欠陥エントリの数を減らすことができ、これは、結局として追記型光ディスクの管理領域の効率的な使用につながる。
【００５２】
図１３は、本発明が適用される追記型光ディスクにおける記録再生装置に関する図である。記録再生装置は、光ディスクに対して記録または再生を行う記録再生部と、これを制御する制御部とを備えている。制御部は、記録再生部に特定の領域への記録または再生指令を送り、記録再生部は、制御部の指令に基づき特定の領域への記録再生を行う。記録再生部１０は、具体的には、外部との通信を行うインタフェース部１２と、光ディスクにデータを直接的に記録または再生するピックアップ部１１と、ピックアップ部から再生信号を受信して所望の信号値に復元したり、記録すべき信号を光ディスクへの記録信号に変調して送るデータプロセッサ１３と、光ディスクから正確に信号を読み込んだり、光ディスクに正確に信号を書き込むためにピックアップ部１１を制御するサーボ部１４と、管理情報を含み各種の情報やデータを一時保存するメモリ１５と、記録再生部内の構成要素の制御を司るマイクロコンピュータ１６とを備えている。
【００５３】
本発明による追記型光ディスクの記録過程について詳細に説明すれば、まず、ディスク内の全ての管理情報が読み込まれて記録再生部内のメモリ１５に保存される。これらの管理情報は、光ディスクへの記録または再生時に活用される。制御部２０は、光ディスク内の特定の領域へ記録しようとする場合、これを記録指令として記録しようとする位置情報を記録すべきデータと共に記録再生部１０に送る。記録再生部内のマイクロコンピュータ１６は、記録指令を受信した後、メモリ１５に保存されている管理情報から制御部２０が記録しようとする光ディスク内の領域が既に記録済みとなっているかまたは未記録であるかを判断し、未記録領域であれば、制御部２０の記録指令に従って記録を行い、記録済みの領域であれば、この領域に記録すべきデータをデータ領域内の他の領域に代替記録する。従って、マイクロコンピュータ１６は、代替記録される領域の位置情報とデータをサーボ１４とデータ−プロセッサ１３に送り、これらからのピックアップ部１４の制御によりディスク内の所望の位置における代替記録を完了させる。
【００５４】
また、本発明による追記型光ディスクの再生過程について詳細に説明すれば、まず、光ディスク内の全ての管理情報が読み込まれて記録再生部内のメモリ１５に保存される。これらの管理情報は、光ディスクへの記録または再生時に活用される。制御部２０は、光ディスク内の特定の領域に記録された情報を再生しようとする場合、これを再生指令にして再生を所望する位置情報を記録再生部１０に送る。記録再生部内のマイクロコンピュータ１６は、再生指令を受信した後、メモリ１５に保存されている管理情報から制御部２０が再生しようとする光ディスク内の領域に記録されたデータがデータ領域内の他の領域に代替記録されたか否かを判断する。これは、前述したＴＤＦＬに記録された欠陥エントリまたは上書きエントリ等で確認可能である。この結果、制御部２０が再生を所望する領域に記録されているべきデータが他の領域に代替記録されていないと判断されれば、当該領域を再生し、再生した情報を制御部２０に送り、また、他の領域に代替記録されたと判断されれば、当該代替記録された領域を再生し、再生した情報を制御部２０に送る。
【００５５】
本発明の技術的思想を逸脱することなく種々の変更、または変形的な使用が可能であることは本発明技術分野の当業者にとっては自明であり、従って、本発明の特許請求の範囲及びその均等な範囲内での変形的使用は本発明に属することも明らかである。
【図１】
2010055747.tif 000003
【図２】
2010055747.tif 000004
【図３】
2010055747.tif 000005
【図４】
2010055747.tif 000006
【図５】
2010055747.tif 000007
【図６】
2010055747.tif 000008
【図７】
2010055747.tif 000009
【図８】
2010055747.tif 000010
【図９】
2010055747.tif 000011
【図１０】
2010055747.tif 000012
【図１１】
2010055747.tif 000013
【図１２】
2010055747.tif 000014
【図１３】
2010055747.tif 000015